(57)【要約】【課題】送信側のユーザーが、データファイルを送信して、自分の思い通りに該データファイルを受信側の表示部に表示させる。【解決手段】本発明の情報処理システムＳｙにおいて、携帯端末装置１０は、ＰＣ３０の表示部３２の画面のサイズに係わる問い合わせをＰＣ３０に送信し、この問い合わせの応答として表示部３２の画面のサイズを受信すると、表示部３２の画面のサイズに応じたデータファイルの表示位置を示すレイアウト情報を設定して、このレイアウト情報をＰＣ３０に送信し、ＰＣ３０は、問い合わせを受信すると、表示部３２の画面のサイズを携帯端末装置１０に送信し、レイアウト情報を受信すると、このレイアウト情報に基づき、表示部３２の画面におけるデータファイルの表示位置を設定する。【選択図】図２
2018005740.tif 000002
【特許請求の範囲】
【請求項１】
ネットワークを通じて、データファイルを第１情報処理装置と第２情報処理装置との間で送受信する情報処理システムであって、
前記第１情報処理装置は、第１表示部と、前記ネットワークを通じて、前記第２情報処理装置の第２表示部の画面のサイズに係わる問い合わせを前記第２情報処理装置に送信する第１通信部と、この問い合わせの応答として前記第２情報処理装置から送られてくる前記第２表示部の画面のサイズが前記第１通信部で受信されると、前記第２表示部の画面のサイズに応じた前記データファイルの表示位置を示すレイアウト情報を設定して、このレイアウト情報を前記第１通信部から前記第２情報処理装置に送信させる第１制御部とを備え、
前記第２情報処理装置は、前記ネットワークを通じて、前記問い合わせを受信する前記第２通信部と、前記第２表示部と、前記問い合わせに応答して前記第２表示部の画面のサイズを前記第２通信部から前記第１情報処理装置に送信させ、前記レイアウト情報が前記第２通信部で受信されると、このレイアウト情報に基づき、前記第２表示部の画面における前記データファイルの表示位置を設定する第２制御部とを備える情報処理システム。
【請求項２】
前記第１情報処理装置の前記第１制御部は、前記データファイルに対応する機能の有無に係わる問い合わせを前記第１通信部から前記第２情報処理装置に向けて送信させ、この問い合わせの応答として前記データファイルに対応する機能の有無が前記第２情報処理装置から前記第１通信部に受信されると、この機能の有無を前記第１表示部に表示し、
前記第２情報処理装置の前記第２制御部は、前記データファイルに対応する機能の有無に係わる問い合わせが前記第２通信部で受信されると、この問い合わせに応答して前記機能の有無を前記第２通信部から前記第１情報処理装置に送信させる請求項１に記載の情報処理システム。
【請求項３】
前記第１情報処理装置の前記第１制御部は、前記機能の有無に係わる問い合わせの応答として該機能の有が前記第１通信部で受信された場合に、前記データファイルを前記第１通信部から前記第２情報処理装置に送信させる請求項２に記載の情報処理システム。
【請求項４】
前記第１情報処理装置は、
ユーザー操作に基づいてユーザーからの指示を受け付ける操作受付部とを備え、
前記第１制御部は、前記第２情報処理装置の第２表示部の画面のサイズに係わる問い合わせの応答として前記第２表示部の画面のサイズが前記第１通信部で受信されたときに、前記操作受付部により受け付けられる指示に基づいて、前記第２表示部の画面のサイズに応じた前記データファイルの表示位置を設定し、当該設定した前記表示位置が示す前記データファイルの表示を前記第１表示部に行わせ、
前記第１通信部が、前記設定された表示位置を示すレイアウト情報を前記第２情報処理装置に向けて送信する請求項１乃至請求項３のいずれか１つに記載の情報処理システム。
【請求項５】
ネットワークを通じて、データファイルを第２情報処理装置との間で送受信する第１情報処理装置であって、
第１表示部と、
前記ネットワークを通じて、前記第２情報処理装置の第２表示部の画面のサイズに係わる問い合わせを前記第２情報処理装置に送信する第１通信部と、
前記問い合わせの応答として前記第２情報処理装置から送られてくる前記第２表示部の画面のサイズが前記第１通信部で受信されると、前記第２表示部の画面のサイズに応じた前記データファイルの表示位置を示すレイアウト情報を設定して、このレイアウト情報を前記第１通信部から前記第２情報処理装置に送信させる第１制御部とを備える第１情報処理装置。
【請求項６】
ネットワークを通じて、データファイルを第１情報処理装置との間で送受信する第２情報処理装置であって、
第２表示部と、
前記第２表示部の画面のサイズに係わる問い合わせを前記第１情報処理装置から受信する前記第２通信部と、
前記第２通信部によって受信された前記問い合わせに応答して前記第２表示部の画面のサイズを前記第２通信部から前記第１情報処理装置に向けて送信させ、前記第２表示部の画面のサイズに応じた前記データファイルの表示位置を示すレイアウト情報が前記第２通信部で受信されると、このレイアウト情報に基づき、前記第２表示部の画面における前記データファイルの表示位置を設定する第２制御部とを備える第２情報処理装置。
【発明の詳細な説明】
【技術分野】
【０００１】
本発明は、データファイルを送信側の情報処理装置と受信側の情報処理装置との間で送受信する技術に関し、特に受信側の情報処理装置の表示部の画面における当該データファイルの表示位置を調整するための技術に関する。
【背景技術】
【０００２】
周知のように携帯端末装置やパーソナルコンピューターなどの情報処理装置は、ネットワークを通じて、様々なデータファイルを送受信している。例えば、特許文献１、２には、送信側の携帯端末装置での簡単な操作により、データを該送信側の携帯端末装置から受信側の携帯端末装置へと送受信するための技術が記載されている。
【先行技術文献】
【特許文献】
【０００３】
【特許文献１】特開２０１１−９６１０２号公報
【特許文献２】特開２０１３−３７４２号公報
【発明の概要】
【発明が解決しようとする課題】
【０００４】
ところで、従来、送信側のユーザーは、送信側の情報処理装置からデータファイルを送信しても、このデータファイルを受信側の情報処理装置の表示部の画面におけるいずれの位置に表示させるかを指定できなかった。例えば、受信側の表示部の画面のサイズ（アスペクト比や画素数）により、受信側の表示部の画面におけるデータファイルの好ましい表示位置が変わるが、送信側のユーザーは、そのような表示位置を指定できなかった。
【０００５】
また、データファイルに対応する機能が受信側の情報処理装置に設定されていない場合は、データファイルが開かれないか、あるいはデータファイルが開かれても、データファイルのコンテンツが表示部に正常に表示されない状態となるが、受信側の機能の有無が送信側のユーザーに通知されることはなかった。
【０００６】
すなわち、送信側のユーザーは、データファイルを送信しても、自分の思い通りに該データファイルを受信側の表示部に表示させることができなかった。
【０００７】
本発明は、上記の事情に鑑みなされたものであり、送信側のユーザーが、データファイルを送信して、自分の思い通りに該データファイルを受信側の表示部に表示可能にすることを目的とする。
【課題を解決するための手段】
【０００８】
本発明の一局面にかかる情報処理システムは、ネットワークを通じて、データファイルを第１情報処理装置と第２情報処理装置との間で送受信する情報処理システムであって、前記第１情報処理装置は、第１表示部と、前記ネットワークを通じて、前記第２情報処理装置の第２表示部の画面のサイズに係わる問い合わせを前記第２情報処理装置に送信する第１通信部と、この問い合わせの応答として前記第２情報処理装置から送られてくる前記第２表示部の画面のサイズが前記第１通信部で受信されると、前記第２表示部の画面のサイズに応じた前記データファイルの表示位置を示すレイアウト情報を設定して、このレイアウト情報を前記第１通信部から前記第２情報処理装置に送信させる第１制御部とを備え、前記第２情報処理装置は、前記ネットワークを通じて、前記問い合わせを受信する前記第２通信部と、前記第２表示部と、前記問い合わせに応答して前記第２表示部の画面のサイズを前記第２通信部から前記第１情報処理装置に送信させ、前記レイアウト情報が前記第２通信部で受信されると、このレイアウト情報に基づき、前記第２表示部の画面における前記データファイルの表示位置を設定する第２制御部とを備えるものである。
【０００９】
また、本発明の一局面にかかる第１情報処理装置は、ネットワークを通じて、データファイルを第２情報処理装置との間で送受信する第１情報処理装置であって、第１表示部と、前記ネットワークを通じて、前記第２情報処理装置の第２表示部の画面のサイズに係わる問い合わせを前記第２情報処理装置に送信する第１通信部と、前記問い合わせの応答として前記第２情報処理装置から送られてくる前記第２表示部の画面のサイズが前記第１通信部で受信されると、前記第２表示部の画面のサイズに応じた前記データファイルの表示位置を示すレイアウト情報を設定して、このレイアウト情報を前記第１通信部から前記第２情報処理装置に送信させる第１制御部とを備えるものである。
【００１０】
また、本発明の一局面にかかる第２情報処理装置は、ネットワークを通じて、データファイルを第１情報処理装置との間で送受信する第２情報処理装置であって、第２表示部と、前記第２表示部の画面のサイズに係わる問い合わせを前記第１情報処理装置から受信する前記第２通信部と、前記第２通信部によって受信された前記問い合わせに応答して前記第２表示部の画面のサイズを前記第２通信部から前記第１情報処理装置に向けて送信させ、前記第２表示部の画面のサイズに応じた前記データファイルの表示位置を示すレイアウト情報が前記第２通信部で受信されると、このレイアウト情報に基づき、前記第２表示部の画面における前記データファイルの表示位置を設定する第２制御部とを備えるものである。
【発明の効果】
【００１１】
本発明によれば、送信側のユーザーが、データファイルを送信して、自分の思い通りに該データファイルを受信側の表示部に表示させることが可能になる。
【図面の簡単な説明】
【００１２】
【図１】本発明の一実施形態の情報処理システムにおける携帯端末装置の外観及びパーソナルコンピューターの外観を示す斜視図である。
【図２】本実施形態の情報処理システムにおける携帯端末装置の構成及びパーソナルコンピューターの構成を示すブロック図である。
【図３】携帯端末装置の表示部の画面におけるデータファイルに対応する機能の有無の表示例を示す図である。
【図４】携帯端末装置の表示部の画面に表示されたデータファイルのアイコンを例示する図である。
【図５】（ａ）、（ｂ）は、パーソナルコンピューターの表示部の画面におけるデータファイルのコンテンツの表示位置を示す図である。
【図６】携帯端末装置のユーザーが自分の思い通りにデータファイルをパーソナルコンピューターの表示部の画面に表示させるための携帯端末装置による処理手順を示すフローチャートである。
【図７】携帯端末装置とパーソナルコンピューターの間で行われる通信の手順を示す図である。
【図８】（ａ）〜（ｄ）は、携帯端末装置の表示部の画面に表示されたデータファイル毎に、データファイルに対応する機能の有無の表示例を示す図である。
【図９】（ａ）〜（ｃ）は、携帯端末装置の表示部の画面におけるデータファイルのコンテンツの表示位置を示す図である。
【図１０】（ａ）〜（ｃ）は、パーソナルコンピューターの表示部の画面におけるデータファイルのコンテンツの調節された表示位置を示す図である。
【図１１】パーソナルコンピューターの表示部の画面に表示されたデータファイルのコンテンツ及びアイコンを示す図である。
【発明を実施するための形態】
【００１３】
以下、本発明の実施形態にかかる情報処理システム、第１情報処理装置及び第２情報処理装置について図面を参照して説明する。
【００１４】
図１は、本発明の実施形態の情報処理システムにおける携帯端末装置の外観及びパーソナルコンピューターの外観を示す斜視図である。また、図２は、本実施形態の情報処理システムにおける携帯端末装置の構成及びパーソナルコンピューターの構成を示すブロック図である。
【００１５】
ここで、携帯端末装置（第１情報処理装置の一例）１０は、例えば、スマートフォンなどの携帯端末装置であって、表示部１１と、タッチパネル１２と、ハードキー１７と、ネットワーク通信部１３と、記憶部１４と、近距離通信部１５と、制御ユニット１６とを備えている。これらの構成要素は、互いにバスを通じてデータ又は信号の送受信信が可能とされている。
【００１６】
表示部（第１表示部の一例）１１は、液晶ディスプレイ（ＬＣＤ：Liquid Crystal Display）や有機ＥＬ（ＯＬＥＤ：Organic Light-Emitting Diode）などから構成される。
【００１７】
タッチパネル１２は、所謂抵抗膜方式や静電容量方式等のタッチパネルである。タッチパネル１２は、表示部１１の画面に配置され、表示部１１の画面上のアイコンに対する指などの接触をその接触位置と共に検知する。タッチパネル１２は、指などの接触を検知すると、その接触位置の座標を示す検知信号を制御ユニット１６の後述する操作受付部２２などに出力する。このように、タッチパネル１２は、表示部１１の画面に対するユーザー操作が入力される操作部としての役割を果たす。
【００１８】
また、携帯端末装置１０は、ユーザー操作が入力される操作部として、上記のタッチパネル１２に加えてハードキー１７を備えている。ハードキー１７は、ユーザーにより押下されると、当該ハードキー１７に対応付けられた指示を操作受付部２２などに出力する。
【００１９】
ネットワーク通信部（ＮＷ通信部）１３は、不図示のＬＡＮチップなどの通信モジュールを備える通信インターフェイスである。携帯端末装置１０は、ネットワーク通信部１３によりネットワークを介してＰＣ３０やサーバーなどと接続され、ＰＣ３０やサーバーなどとの間でデータの送受信を行う。近距離通信部（ＮＦＣ通信部）１５は、例えば、ブルートゥース（登録商標）・ロー・エネルギー（Bluetooth（登録商標） Low Energy）や「Ｗｉ−Ｆｉ Ｄｉｒｅｃｔ」などの近距離通信方式（Near Field Communication）による通信インターフェイスである。携帯端末装置１０は、ネットワーク通信部１３及び近距離通信部１５を通じてＰＣ３０などに接続され、ＰＣ３０などとの間でデータの送受信信を行う。
【００２０】
記憶部１４は、フラッシュメモリーなどの大容量の記憶装置である。
【００２１】
制御ユニット１６は、プロセッサー、ＲＡＭ（Random Access Memory）、及びＲＯＭ（Read Only Memory）等から構成される。プロセッサーは、例えば、ＣＰＵ(Central Processing Unit)、ＭＣＵ、又はＡＳＩＣ等である。制御ユニット１６は、上記記憶部１４に記憶された制御プログラムが上記のプロセッサーにより実行されることで、制御部２１、操作受付部２２、通信制御部２４として機能する。なお、制御ユニット１６の上記の各構成要素は、前述の制御プログラムに基づく動作によらず、それぞれハード回路により構成されてもよい。
【００２２】
制御部（第１制御部の一例）２１は、携帯端末装置１０の全体的な動作制御を司る。制御部２１は、表示部１１、タッチパネル１２、ネットワーク通信部１３、記憶部１４、近距離通信部１５、ハードキー１７などと接続されており、接続されている上記各構成要素の動作制御や、各構成要素との間での信号またはデータの送受信を行う。
【００２３】
操作受付部２２は、タッチパネル１２から出力される検知信号あるいはハードキー１７の操作に基づき、ユーザーにより入力されたユーザー操作を特定する。そして、操作受付部２２は、特定したユーザー操作を受け付け、当該ユーザー操作に対応する制御信号を制御部２１、通信制御部２４などに出力する。
【００２４】
制御部２１は、操作受付部２２が受け付けた操作に応じた処理を実行する処理部としての役割を果たす。制御部２１は、表示部１１の表示動作を制御する機能を有する。
【００２５】
通信制御部２４は、ネットワーク通信部１３及び近距離通信部１５の通信動作を制御する機能を有する。記憶部１４は、各種のアプリケーションプログラムや種々の情報等を記憶している。なお、通信制御部２４、近距離通信部１５、及びネットワーク通信部１３が第１通信部の一例となる。
【００２６】
一方、パーソナルコンピューター（第２情報処理装置の一例。以下ＰＣと称す）３０は、制御ユニット３１と、表示部３２と、操作部３４と、ネットワーク通信部３３と、近距離通信部３５と、記憶部３６とを備えている。これらの構成要素は、互いにバスを通じてデータ又は信号の送受信信が可能とされている。
【００２７】
制御ユニット３１は、ＣＰＵ、ＲＡＭ、及びＲＯＭ等から構成され、制御部４１、操作受付部４２、及び通信制御部４４として機能する。制御部（第２制御部の一例）４１は、ＰＣ３０を統括的に制御する。
【００２８】
操作部３４は、キーボードやポインティングデバイス等からなり、利用者により操作されて、この操作が操作受付部４２で受け付けられる。
【００２９】
表示部（第２表示部の一例）３２は、制御部４１により制御されて、アプリケーションプログラムの実行に伴う画面などを表示する。
【００３０】
ネットワーク通信部３３は、通信制御部４４により制御され、ネットワークを通じて携帯端末装置１０やサーバー等との間で各種のデータを送受信する。近距離通信部（ＮＦＣ通信部）３５は、通信制御部４４により制御され、上記と同様の近距離通信により、携帯端末装置１０などとの間で各種のデータを送受信する。記憶部３６は、例えばＨＤＤであり、各種のアプリケーションプログラムや種々の情報等を記憶している。なお、なお、通信制御部４４、近距離通信部４５、及びネットワーク通信部４３が第２通信部の一例となる。
【００３１】
このような構成の情報処理システムＳｙにおいては、ネットワーク通信部１３及びネットワーク通信部３３によるネットワークを通じてのデータ通信、あるいは、近距離通信部１５及び近距離通信部３５による近距離通信によりデータ通信を行って、データファイルを携帯端末装置１０からＰＣ３０へと送受信する。ＰＣ３０では、データファイルを受信すると、制御部４１が、データファイルを開いて、データファイルのコンテンツを表示部３２の画面に表示する。データファイルとしては、例えばテキスト用ファイル（Ｗｏｒｄ（登録商標）など）や表計算用ファイル（Ｅｘｃｅｌ（登録商標）など）があり、データファイルが開かれると、テキストや表が表示部３２の画面に表示されることとなる。
【００３２】
また、本実施形態では、携帯端末装置１０側で、データファイルに対応する機能がＰＣ３０に備えられているか否かの情報の送信をＰＣ３０に要求し、制御部２１が、当該情報に基づいて、データファイルのコンテンツをＰＣ３０の表示部３２の画面に表示させる機能（アプリケーションプログラム）の有無を確認し、この機能の有無についての確認結果を携帯端末装置１０の表示部１１の画面に表示する。
【００３３】
例えば、図３に示すように、携帯端末装置１０の制御部２１は、表示部１１の画面にデータファイルのアイコンＤｆを表示し、データファイルに対応する機能がＰＣ３０に無い場合には、データファイルのアイコンＤｆに重ねて×印の画像を表示する。また、制御部２１は、データファイルに対応する機能がＰＣ３０に有る場合には、上記×印の画像は表示しない。
【００３４】
また、本実施形態では、ＰＣ３０の表示部３２の画面におけるデータファイルのコンテンツ（テキストや表）の表示位置などを、携帯端末装置１０側で調整して設定する。
【００３５】
ここで、携帯端末装置１０では、制御部２１により、例えば図４に示すようにテキスト用ファイルのアイコンＦｗ及び表計算用ファイルのアイコンＦｅが表示部１１の画面に表示されている状態で、データファイルの送信を指示するためのフリック操作（ユーザー操作）がユーザーによりタッチパネル１２に対して行われると、例えば近距離通信によりテキスト用ファイル及び表計算用ファイルが近距離通信部１５からＰＣ３０に送信される。ＰＣ３０では、テキスト用ファイル及び表計算用ファイルが近距離通信部３５により受信され、制御部４１が、当該受信されたファイルを開き、表示部３２の画面にテキスト用ファイルのテキストＷ及び表計算用ファイルの表Ｅを表示する。
【００３６】
ここで、従来は、ＰＣの表示部画面において、ＰＣ側で設定したそれぞれの表示位置に、テキストＷ及び表Ｅが表示される。このため、携帯端末装置のユーザーが、図５（ａ）に示すように、ＰＣの表示部にテキストＷ及び表Ｅを横に並べて表示することを意図していても、図５（ｂ）に示すようにＰＣの表示部の画面には、ユーザーの意図とは異なって、テキストＷ及び表Ｅが縦に並べて表示されることがあった。
【００３７】
これに対して、本実施形態では、ＰＣ３０の表示部３２の画面のサイズを、ＰＣ３０の近距離通信部３５又はネットワーク通信部３３から携帯端末装置１０へと送信する。携帯端末装置１０の制御部２１は、近距離通信部１５又はネットワーク通信部１３により受信された当該画面のサイズに基づいて、ＰＣ３０の表示部３２の画面のサイズに応じたテキストＷ及び表Ｅの好ましい表示位置、拡大縮小率、表示頁などを、ユーザーからの指示に基づいて設定する。そして、近距離通信部１５又はネットワーク通信部１３が、当該設定された表示位置、拡大縮小率、表示頁等を示すレイアウト情報を携帯端末装置１０からＰＣ３０に向けて送信する。ＰＣ３０側では、近距離通信部３５又はネットワーク通信部３３が当該レイアウト情報を受信し、制御部４１が、テキストＷ及び表Ｅを、表示部３２の画面に、当該レイアウト情報が示す表示位置、拡大縮小率、表示頁で表示する。
【００３８】
このように携帯端末装置１０側で、データファイルに対応する機能がＰＣ３０に備えられているか否かを表示したり、ＰＣ３０の表示部３２での表示に用いる上記レイアウト情報を設定したりすることにより、携帯端末装置１０のユーザーが、データファイルをＰＣ３０に送信するとき、自分の思い通りに当該データファイルをＰＣ３０の表示部３２の画面に表示させることが可能となる。
【００３９】
次に、図６のフローチャート及び図７を参照して、携帯端末装置１０及びＰＣ３０の動作を説明する。
【００４０】
図６は、携帯端末装置１０のユーザーが自分の思い通りにデータファイルをＰＣ３０の表示部３２の画面に表示させるための携帯端末装置１０による処理手順を示すフローチャートである。また、図７は、携帯端末装置１０とＰＣ３０間の通信手順を概略的に示す図である。
【００４１】
例えば、携帯端末装置１０は、ＰＣ３０との間で、上記近距離通信部１５，３５により近距離通信が可能な状態となっており（ステップＳ１０１）、例えば図４に示すように、制御部２１が、テキスト用ファイルのアイコンＦｗ及び表計算用ファイルのアイコンＦｅを表示部１１の画面に表示しているものとする（ステップＳ１０２）。
【００４２】
このとき、携帯端末装置１０では、操作受付部２２が、データファイルの送信を指示するためのフリック操作の受付を待機しており（ステップＳ１０３で「Ｎｏ」）、タッチパネル１２に対してフリック操作が行われて、このフリック操作が操作受付部２２で受け付けられると（ステップＳ１０３で「Ｙｅｓ」）、通信制御部２４が、テキスト用ファイル及び表計算用ファイルに対応するそれぞれの機能の有無に係わる機能問い合わせ情報を近距離通信部１５からＰＣ３０へと送信させる（ステップＳ１０４）。例えば、通信制御部２４は、テキスト用ファイルの拡張子及び表計算用ファイルの拡張子に対応するアプリケーションプログラムの有無に係わる機能問い合わせ情報を近距離通信部１５から送信させる。
【００４３】
ＰＣ３０では、機能問い合わせ情報が近距離通信部３５で受信されると、制御部４１が、テキスト用ファイル及び表計算用ファイルに対応するそれぞれの機能（アプリケーションプログラム）の有無を判断して求め、この判断結果を示す機能応答情報を作成する。制御部４１は、当該各機能（アプリケーションプログラム）がインストールされているか否かに基づいて、当該判断が可能である。そして、通信制御部４４は、該各機能の有無を示す機能応答情報を近距離通信部３５から携帯端末装置１０へと送信させる。
【００４４】
携帯端末装置１０では、上記機能応答情報が近距離通信部１５で受信されると（ステップＳ１０５）、制御部４１は、機能応答情報に基づき、テキスト用ファイル及び表計算用ファイルに対応するそれぞれの機能の有無を表示部１１に表示させる（ステップＳ１０６）。制御部２１は、図８（ａ）〜（ｄ）に示すように、テキスト用ファイルのアイコンＦｗ及び表計算用ファイルのアイコンＦｅ毎に、該各機能がＰＣ３０にあるか無いかを判断し、テキスト用ファイルのアイコンＦｗ及び表計算用ファイルのアイコンＦｅ毎に、該各機能がＰＣ３０にない場合は、それらに重ねて×印の画像を表示させ、該各機能がＰＣ３０にある場合は、当該×印の画像を非表示とする。
【００４５】
このとき、携帯端末装置１０の通信制御部２４は、テキスト用ファイル及び表計算用ファイルに対応するそれぞれの機能がＰＣ３０に有れば（ステップＳ１０７で「全機能有」）、ＰＣ３０の表示部３２の画面のサイズを問い合わせるためのサイズ問い合わせ情報を近距離通信部１５からＰＣ３０へと送信させる（ステップＳ１０８）。
【００４６】
また、通信制御部２４は、各機能の一方が無くても（ステップＳ１０７で「機能有」）、表示部１１の画面上に表示させているレイアウトキー５１（図８（ｃ））がタッチ操作されて、このタッチ操作が操作受付部２２で受け付けられた場合は（ステップＳ１０９で「レイアウト」）、上記サイズ問い合わせ情報を近距離通信部１５からＰＣ３０に向けて送信させる（ステップＳ１０８）。
【００４７】
また、各機能のいずれも無い場合は（ステップＳ１０７で「全機能無」）、上記サイズ問い合わせ情報が送信されることなく、通信制御部２４は、近距離距離通信部１５に、データファイルを携帯端末装置１０からＰＣ３０に向けて送信させる（ステップＳ１１５）。この後、図６の処理は終了する。
【００４８】
あるいは、各機能の一方が無く（ステップＳ１０７で「機能有」）、表示部１１の画面上に制御部２１が表示させている送信キー５２（図８（ｃ））がタッチ操作されて、このタッチ操作が操作受付部２２で受け付けられた場合は（ステップＳ１０９で「送信」）、通信制御部２４は、上記サイズ問い合わせ情報を近距離通信部１５からＰＣ３０へと送信させず、近距離通信部１５に、データファイルを携帯端末装置１０からＰＣ３０へと送信させる（ステップＳ１１５）。この後、図６の処理は終了する。
【００４９】
一方、ＰＣ３０では、上記サイズ問い合わせ情報が近距離通信部３５で受信されると、通信制御部４４は、制御部４１が保有している表示部３２の画面のサイズ（アスペクト比や画素数）に基づいて、サイズ応答情報を作成し、当該サイズ応答情報を、近距離通信部３５から携帯端末装置１０へと送信させる。
【００５０】
携帯端末装置１０では、サイズ応答情報が近距離通信部１５で受信されると（ステップＳ１１０）、制御部２１は、該サイズ応答情報に基づき、ＰＣ３０の表示部３２の画面におけるテキスト用ファイルのテキストＷ及び表計算用ファイルの表Ｅの表示状態を、該携帯端末装置１０の表示部１１の画面に再現する（ステップＳ１１１）。例えば、テキスト用ファイル及び表計算用ファイルに対応するそれぞれの機能が有ると判定されている場合は、制御部２１は、図９（ａ）に示すようにテキストＷ及び表Ｅの両方の表示状態を、表示部１１の画面に再現させる。また、各機能の一方があり、他方が無いと判定されているときは、制御部２１は、レイアウトキー５１がタッチ操作されて操作受付部２２にレイアウト表示指示が受け付けられた場合に、図９（ｂ）、（ｃ）に示すようにテキストＷ又は表Ｅ（ＰＣ３０で機能があると判定されている方）の表示状態を表示部１１の画面に再現させる。
【００５１】
こうしてＰＣ３０の表示部３２の画面におけるテキストＷ及び表Ｅの少なくとも一方の表示状態が携帯端末装置１０の表示部１１の画面に再現された上で、携帯端末装置１０のユーザーは、タッチパネル１２やハードキー１７を操作して、ＰＣ３０の表示部３２の画面におけるテキストＷ又は／及び表Ｅ（再現して表示されている一方又は両方のファイル。以下、同じ）の表示位置、拡大縮小率、表示頁などを調節する指示を入力し、これが操作受付部２２に受け付けられると、制御部２１が、当該ユーザーからの指示に基づいて、ＰＣ３０の表示部３２におけるテキストＷ又は／及び表Ｅの表示位置、拡大縮小率、表示頁を調節する（ステップＳ１１２）。
【００５２】
そして、携帯端末装置１０のユーザーが表示部１１の画面に表示されている決定キー５３をタッチ操作して、このタッチ操作が操作受付部２２で受け付けられると、制御部２１は、ＰＣ３０の表示部３２の画面におけるテキストＷ又は／及び表Ｅの表示位置、拡大縮小率、表示頁などを示すレイアウト情報を生成する（ステップＳ１１３）。通信制御部２４は、テキスト用ファイル又は／及び表計算用ファイルを、上記のようにして作成された、対応するレイアウト情報と共に、近距離通信部１５からＰＣ３０へと送信させる（ステップＳ１１４）。
【００５３】
ＰＣ３０では、テキスト用ファイル又は／及び表計算用ファイルと、これに対応するレイアウト情報が近距離通信部３５で受信されると、制御部４１が、テキスト用ファイル又は／及び表計算用ファイルを開き、受信されたレイアウト情報によって示される表示位置、拡大縮小率、表示頁に従って、表示部３２の画面における該表示位置に、当該開いたファイルを示す画像を表示する。
【００５４】
例えば、テキスト用ファイル及び表計算用ファイルに対応するそれぞれの機能が有り、これら両方に付いてのレイアウト情報が送られてきた場合は、図１０（ａ）に示すように、ＰＣ３０の制御部４１は、表示部３２の画面に、テキストＷ及び表Ｅを示す画像を、各レイアウト情報が示す表示位置、拡大縮小率、表示頁に従って、それぞれ配置して表示させる。また、制御部４１は、各機能の一方が無い場合は、図１０（ｂ）、（ｃ）に示すように表示部３２の画面において、テキストＷ又は表Ｅを示す画像を、レイアウト情報に応じて配置して表示させる。
【００５５】
このように本実施形態では、データファイルに対応する機能がＰＣ３０に備えられているか否かを確認して、この機能の有無を携帯端末装置１０の表示部１１の画面に表示したり、携帯端末装置１０側で、ＰＣ３０の表示部３２の画面におけるデータファイルのコンテンツの表示位置、拡大縮小率、表示頁などを調整して設定したりすることが可能である。このため、携帯端末装置１０のユーザーが、自分の思い通りに、携帯端末装置１０に保存されているデータファイルのコンテンツを、ＰＣ３０に送信して、ＰＣ３０においてその表示部３２の画面に表示させることが可能になる。
＜変形例１＞
【００５６】
上記実施形態のＰＣ３０では、制御部４１が、データファイルを受信すると、データファイルを開いて、上記受信したレイアウト情報に基づき、当該データファイルのコンテンツを表示部３２の画面に配置して表示しているが、データファイルの受信時には、制御部４１が、当該データファイルのアイコンを表示部３２の画面に表示させ、このアイコンがユーザーによりタッチ操作されて、これが操作受付部４２に受け付けられたときに、当該データファイルを開いて、上記レイアウト情報に基づき、そのコンテンツを配置して表示させるようにしてもよい。
＜変形例２＞
【００５７】
また、携帯端末装置１０の制御部２１は、上記レイアウト情報に、ＰＣ３０でデータファイルが受信された時に、ＰＣ３０の制御部４１に、該データファイルのコンテンツ及びアイコンのいずれかを表示させるかの指示、又は両方を表示させる指示を含ませるようにしてもよい。この場合、ＰＣ３０では、レイアウト情報に含まれる当該指示に基づき、制御部４１が、データファイルのコンテンツ及びアイコンのいずれかを表示する。あるいは、制御部４１は、レイアウト情報に含まれる当該指示に基づき、図１１に示すようにデータファイル毎に、コンテンツ及びアイコンを混在させて表示する。
＜変形例３＞
【００５８】
また、上記実施形態の携帯端末装置１０では、操作受付部２２が、ユーザーによるフリック操作に基づいてデータファイルの送信指示を受け付けるようにしているが、他の種類のタッチ操作やハードキーの操作により当該送信指示を受け付けるようにしてもよい。
＜変形例４＞
【００５９】
また、上記実施形態では、近距離通信により携帯端末装置１０とＰＣ３０の間でデータファイル等を送受信する例を示して説明しているが、ネットワークを通じての通信によりデータファイル等を送受信しても構わない。この場合は、携帯端末装置１０のネットワーク通信部１３及びＰＣ３０のネットワーク通信部３３を用いて、データ通信を行う。
【００６０】
更に、上記実施形態では、情報処理システムＳｙは、携帯端末装置１０とＰＣ３０により構成されるものとしているが、情報処理システムＳｙは、ＰＣ（第１情報処理装置の一例）とＰＣ（第２情報処理装置の一例）、又は携帯端末装置（第１情報処理装置の一例）と携帯端末装置（第２情報処理装置の一例）で構成されるようにすることも可能である。
＜変形例５＞
【００６１】
また、上記実施形態では、図７に示すように携帯端末装置１０とＰＣ３０の間で、機能問い合わせ情報、機能応答情報、サイズ問い合わせ情報、サイズ応答情報、データファイル並びにレイアウト情報を順次送受信しているが、これらの情報やデータファイルの送受信の順番を適宜変更してもよい。例えば、まずデータファイル、機能問い合わせ情報、及びサイズ問い合わせ情報を携帯端末装置１０からＰＣ３０へと送受信し、これに応答して機能応答情報及びサイズ応答情報をＰＣ３０から携帯端末装置１０へと送受信し、この後にレイアウト情報を携帯端末装置１０からＰＣ３０へと送受信することも可能である。
【００６２】
なお、図１乃至図１１を用いて説明した上記実施形態の構成及び処理は、本発明の一例に過ぎず、本発明を当該構成及び処理に限定する趣旨ではない。
【符号の説明】
【００６３】
１０    携帯端末装置
１１    表示部
１２    タッチパネル
１３    ネットワーク通信部
１４    記憶部
１５    近距離通信部
１６    制御ユニット
１７    ハードキー
２１    制御部
２２    操作受付部
２４    通信制御部
３１    制御ユニット
３２    表示部
３３    ネットワーク通信部
３４    操作部
３５    近距離通信部
３６    記憶部
４１    制御部
４２    操作受付部
４４    通信制御部
【図１】
2018005740.tif 000003
【図２】
2018005740.tif 000004
【図３】
2018005740.tif 000005
【図４】
2018005740.tif 000006
【図５】
2018005740.tif 000007
【図６】
2018005740.tif 000008
【図７】
2018005740.tif 000009
【図８】
2018005740.tif 000010
【図９】
2018005740.tif 000011
【図１０】
2018005740.tif 000012
【図１１】
2018005740.tif 000013